(57)【要約】  簡易構造でありながら、極低温流体に対して、多くの開閉回数を経ても高いシール性と安全性が失われることがなく、しかもメンテナンスも容易な極低温用グローブ弁を提供することにある。  ボデーにロングネック構造の軸筒部を延設した極低温用グローブ弁であって、長尺状のステムの下端部に、縮径テーパ状の円錐面を有する樹脂製弁体を、極低温条件下でもこの樹脂製弁体がステムに対して３次元的な動作が可能となるように取り付けた極低温用グローブ弁である。
2020091037.tif 000002
【特許請求の範囲】
【請求項１】
ボデーにロングネック構造の軸筒部を延設した極低温用グローブ弁であって、長尺状のステムの下端部に、縮径テーパ状の円錐面を有する樹脂製弁体を、極低温条件下でもこの樹脂製弁体が前記ステムに対して３次元的な動作が可能となるように取り付けたことを特徴とする極低温用グローブ弁。
【請求項２】
前記ステムの下端部に設けた挿入部に前記樹脂製弁体の上部に設けた取付部を挿入し、この挿入部と前記取付部には、前記ステムの長さ方向と交叉する方向に貫通孔を形成し、この貫通孔に固定部材を挿通させて前記取付部と前記ステムの下端部とを取り付け、前記固定部材と前記貫通孔との間に隙間を設け、前記樹脂製弁体が熱収縮した際に、前記隙間に対して前記樹脂製弁体が可動可能なクリアランスを維持させた請求項１に記載の極低温用グローブ弁。
【請求項３】
前記ステムの下端部に設けた取付部に前記樹脂製弁体の上部に設けた挿入部を挿入し、この取付部と前記挿入部には、前記ステムの長さ方向と交叉する方向に貫通孔を形成し、この貫通孔に固定部材を挿通させて前記挿入部と前記ステムの下端部とを取り付け、前記固定部材と前記貫通孔との間に隙間を設け、前記樹脂製弁体が熱収縮した際に、前記隙間に対して前記樹脂製弁体が可動可能なクリアランスを維持させた請求項１に記載の極低温用グローブ弁。
【請求項４】
前記ステムの下端部に設けた取付溝に前記樹脂製弁体の上部に設けた係合部を係合させ、前記樹脂製弁体と前記ステムの下端部とを所定の隙間を介して取り付け、前記樹脂製弁体が熱収縮した際に、前記隙間に対して前記樹脂製弁体が可動可能なクリアランスを維持させた請求項１に記載の極低温用グローブ弁。
【請求項５】
前記ボデーに設けた弁座シール面の角度よりも前記樹脂製弁体の弁体シール面の角度が小さくなるようにした請求項１乃至４の何れか１項に記載の極低温用グローブ弁。
【請求項６】
極低温条件下の前記貫通孔と前記固定部材との間の前記クリアランスの縦幅は、前記樹脂製弁体のシール径に対し、０．５％以上とした請求項２又は３に記載の極低温用グローブ弁。
【請求項７】
前記軸筒部の上端にグランド部を設け、このグランド部側に液化水素である前記極低温流体が流入しないように前記軸筒部の上部をベローズ構造とすると共に、前記グランド部から大気圧を超える圧力の水素流体が漏れ出る程度のグランド封止構造とした請求項１乃至６の何れか１項に記載の極低温用グローブ弁。
【発明の詳細な説明】
【技術分野】
【０００１】
本発明は、極低温用グローブ弁に関し、特に、液化水素用として好適な極低温用グローブ弁に関する。
【背景技術】
【０００２】
一般に、石油化学、石油精製産業、各種の化学工業などの低温工業の分野を中心として、例えば沸点が−４０〜−１００℃程度の範囲にある液化アンモニア、プロパン、エタン、エチレン、或は、クリーンなエネルギー源として石油を補完する−１６３℃の液化天然ガス（ＬＮＧ）、さらには宇宙開発機器産業における−１８３℃の液化酸素や−１９５．８℃の液化窒素など、各種の低温〜極低温流体の移送や貯蔵などの場面で、グローブ、ボール、ゲート、バタフライといった各種のタイプの低温流体制御用バルブが用いられているが、とりわけ（単座式）グローブ弁は、弁閉時の弁座リーク量が極めて小さく、特に手動ハンドルを備えたタイプは、このようなバルブの中で最も多用されてきている。このような低温用バルブでは、低温流体の使用に伴う各種の課題に対応するため、ボデーやボンネット、パッキンなどのバルブ部品素材の選定水準や製造工程に対しても、常温で流体を制御するバルブと比較した場合、極めて高度な品質が要求されることが通常である。【０００３】
特に近年、京都議定書の発効など、二酸化炭素排出量の世界的な規制に伴い、クリーン燃料として水素の需要も高まりつつある。水素は、原理的には、燃焼させた際に二酸化炭素を生じる天然ガスなどと異なり、水を生じるのみであるから、クリーンなエネルギー源として理想的である一方で、分子量が極めて小さいため、沸点は−２５２．８℃にも達するので、例えば、極低温下と常温下との間の材質特性が著しく変化する点や、水素ガスは鋼材中に容易に吸収されて鋼材の強度を低下させる水素脆化を引き起こす点など、水素流体を扱うバルブにおいても、水素特有の課題が知られている。【０００４】
従来から、液化水素まで使用流体とし得る極低温用グローブ弁としては、特許文献１〜４が知られている。これらのバルブは、何れも、低温流体に接する流路と常温下に設けられる操作ハンドル（操作部）との距離が大きく離れた遮熱構造が採られており、特に同文献２〜４は、バルブの内外を真空断熱して液体の気化（ボイルオフ）を防ぐための真空ジャケットが備えられ、液化水素用として考慮された極低温用グローブ弁を開示している。【０００５】
特許文献１は、温度低下に起因した樹脂製弁体収縮の影響を受けないようにする点を課題としており、同文献の樹脂製弁体は、環状樹脂製のソフトパッキンが環状の弁座にフラットに着座するフラットシール構造であって、このソフトパッキンは、弁閉時にも１次側流路に曝されるシート押えとナットとで固定されて着脱自在に取り付けられている。また、極低温における全閉状態においては、ソフトパッキンがステムで最下位置まで下降した状態で、さらに所定の隙間の分だけ下降した状態となり、この状態ではシール圧補正バネが樹脂製弁体を弾発して全閉状態のシール圧が保たれると記載されている。【０００６】
より具体的には、この隙間に関しては、樹脂製弁体は弁棒の先端外周に温度低下による軸方向最大収縮代よりも大きな軸方向相対移動が許容される状態に装着され、この収縮代より大きな隙間として弁押さえと有底円筒部との間に設けられていると記載されている。なお、具体的な全閉動作としては、弁押さえと径方向膨出部とが接しており隙間が生じていない範囲（パッキンが弁座に触れていない範囲）においては、樹脂製弁体は弁押さえ（回り止め部材）を介して弁棒先端外周と一体に回動し、パッキンが弁座に当たった後は、弁棒先端外周は弁押さえの内周に固着しておらず嵌っているので、弁棒がさらに下降して弁押さえが径方向膨出部から離れて隙間が生じるものと解される。【０００７】
特許文献２は、ステム下端面の中心位置には軸方向にオネジ部が突設されており、このオネジ部に環状の樹脂製パッキンがパッキン押さえを嵌め込んでナットで着脱自在に固定されている。同文献２では、弁閉時においてパッキンと弁座との間に生じる通常の漏れ空間と、パッキンとパッキン押さえ、及び樹脂製弁体との間に生じる裏漏れ空間と、の２つのルートに対し、超低温ではパッキンの収縮によりナットによる締付力はほとんど失われるから、全閉時における２つの漏れルートに対するシール力は、ほぼ弁棒がパッキンを締め付ける押圧力のみに起因して生じることになるので、この押圧力が２つの漏れ空間の双方に均等に作用するようにすることで、力の偏りを解消し、特に裏漏れ空間を介した漏れを防止する点に着目した上で、２つの漏れ空間の当接面積を略等しくするため、パッキンの上面に周溝を刻設して両者の面積を調整（より具体的にはパッキンの上面の当接面積を減少させる）するようにしているものと解される。【０００８】
また、特許文献３、４では、少なくとも、弁閉時に１次側流路に曝される弁体表面は、樹脂製で一体的に形成されていることで隙間が生じない樹脂製弁体が開示されている。特許文献３は、略コーン形状の樹脂製弁体（バルブディスク）は、スタッド部を介して、ステム下部のディスクリテーナに同心状に結合しており、弁閉時にはテーパ状の弁体シール面がテーパ状の弁座シール面に密着できるように構成されている。なお、この樹脂製弁体のスタッド結合は、樹脂製弁体の軸心方向に交差する横方向にスプリングピン、ロールピン、ドエルピンなどのピンを固定して補強する点も述べられている。【０００９】
より具体的には、同文献３によれば、これらのピンとしてステンレス製のものを用いる一方で、バルブディスクとしてフッ素樹脂（ＫＥＬ−Ｆ）製のものを用いることにより、極低温下においては、フッ素樹脂製の弁体はステンレス製のピンよりも収縮率がかなり大きいことから、樹脂製弁体がピンより大きく収縮することによりピンに大きな力を及ぼし、これにより樹脂製弁体のタイトフィットがもたらされると記載されている。【００１０】
特許文献４も、上記のような同文献３と同様に、略球形状の樹脂製弁体（パッキン）は一体的に形成されており、弁閉時においては、シール面を含む弁体表面側には隙間が生じることがない樹脂製弁体が用いられており、この樹脂製弁体は、ステム下面中央に同心状に形成された雌螺条に対し、上面中央に同心状に形成された雄螺条を螺着すると共に、ステムの雌螺条のさらに下方に設けられた周突縁を、樹脂製弁体の雄螺条の下方側周に設けられた周段部に向けてカシメ固定することで、螺着とカシメの両方の手段によって樹脂製弁体がステムに固定されている。
【先行技術文献】
【特許文献】
【００１１】
【特許文献１】特開２０１７−１７２７５４号公報
【特許文献２】実開昭５５−１８６３８号公報
【特許文献３】米国特許登録第６３０２３７４号公報
【特許文献４】実開昭５５−１８６３７号公報
【発明の概要】
【発明が解決しようとする課題】
【００１２】
しかしながら、特許文献１は、少なくとも極低温流体に常に曝されることになる樹脂製弁体部位の構成だけに限定しても、シール圧補正バネ（複数の皿バネ）や、ばね押さえのほか、ナット、シート押えなど、必要となる部品が多くなるため、少なくとも生産性が悪いと共に、極低温下では、これら多数の特性の異なる部品同士が、それぞれ別個に変性し合って動作不良や寿命低下など、不測の不具合や故障を起こすおそれもあり、弁としての使用性やメンテナンス性も悪いと言える。極低温用バルブの構成部品としては、できるだけ少ない部品で簡素に構成されることが望ましい。また、上記のように、弁閉時には弁体表面には隙間（シート押えやナットと、ソフトパッキンや樹脂製弁体との間など）が生じ得る構造なので、この隙間から裏漏れなどが生じるおそれもある。【００１３】
さらに、極低温下においては、上記のようにソフトパッキンの熱収縮代を許容する隙間を、シール圧補正バネによる弾発力で補っているので、熱収縮状態のソフトパッキンはさらに圧縮されることになる。このように弁閉の毎にソフトパッキンが圧縮され続けることにより、極低温下で凍結により可撓性がほぼ失われた状態で、樹脂製弁体のソフトパッキンが収納溝内に固着してしまうおそれがある。【００１４】
ここで、特許文献１〜４などの多くの従来技術に見られるように、極低温用グローブ弁は通常、長尺ステムのロングネックであって、ステムはステムを雄ネジ側としたネジ締結を介して回転しながら昇降する構造が採られるので、ネジ昇降する毎に高精度にステム軸芯を同軸上に維持することが困難な構造となっている。このため、ステム軸心が弁座軸心と正確に一致せず、僅かでもずれた状態で着座する現象も起こり易い。特に極低温用グローブ弁の場合は、長尺ステムの操作側の一端が常温下、樹脂製弁体側の他端が極低温下という状況に長期間曝されるから、極端な温度差に伴う素材変性の影響も相俟って、このようなステム軸心のズレは生じやすい。極低温用グローブ弁構造は、長尺ステム、ネジ締結、温度差など、いくつもの要因からステム軸心のズレが生じやすい構造と言える。しかも極低温用グローブ弁には高いシール性能が要求されることも通常であるから、たとえズレが僅かであっても、以下のような無視できない問題を生じる。【００１５】
特許文献１において、上記のようにソフトパッキンが固着した状態となった場合は、樹脂製弁体は略固体塊となってステムに一体的に同化した状態となるので、ステム軸心が弁座軸心に対し傾いた状態となった場合、このステムの傾きは、そのまま弁体軸心の傾きとなり、略固体塊となった樹脂製弁体は、軸心の傾きが修正されることなく、傾斜状態のまま弁座に着座せざるを得ない。極低温下においては、樹脂製弁体の可撓性がほぼ失われているので、弾性の発揮によりズレを自己修正してシール性を保つ能力を失っているからである。【００１６】
よって、弁体シール面と弁座シール面との高いシール性を保証する適合性は失われたまま回復することがなく、バルブのシール性が失われることになる。特に、樹脂製弁体の熱収縮に伴って樹脂製弁体の常温下形状に対して変形硬化したままステムに固着状態となっている場合は尚更である。弁座軸心に対する弁体軸心のズレは、上記のようにステム軸心のズレに起因するほか、樹脂製弁体の形状変化にも起因するからである。とりわけ同文献１は、平面状の面接触によるフラットシール構造だから、パッキンの平面性が僅かでも損なわれれば、バルブのシール性へ大きな悪影響を及ぼす。【００１７】
特許文献２でも、先ず、弁閉時において樹脂製弁体表面には隙間が生じるように構成されており、この隙間からのパッキンを介した裏漏れが同文献の課題とされているから、裏漏れが不可避な弁体構造であって、簡素な構造が採られているものの、十分なシール性を要するバルブ構造としては不十分と言わざるを得ない。また、パッキン内の中空領域にパッキンを固定する部材（オネジ）が挿通されてナットで固定されているので、パッキンの熱収縮やバルブの開閉に伴ってパッキンが圧縮される結果、樹脂製弁体が上記のように略固体塊としてステムに固着してしまうおそれがある点は上記同文献１と同様である。【００１８】
特許文献３、４の樹脂製弁体は、上記のような弁体裏側に流体が回り込んで裏漏れを生じる隙間を有さないが、何れも樹脂製弁体内部がステムに対して固定されておらず、樹脂製弁体外周面をステムに螺合や嵌合、カシメによって固定しているだけなので、樹脂製弁体の確実な固定性が担保されていない。特に上記のようにステム軸心が弁座軸心に対して傾いた状態でバルブの開閉が長期間繰り返されれば、樹脂製弁体の固定強度が損なわれ易く、場合によっては樹脂製弁体が脱落してしまうおそれもある。しかも、極低温下においては、樹脂製弁体は熱収縮すると共に、樹脂製弁体の方が、固定先となる金属製のステムより熱収縮代が大きいから、弁体固定部である弁体外周面が大きく収縮することにより、樹脂製弁体の固定強度がさらに損なわれる。【００１９】
また、同文献３、４においても、上記のようにステム軸心の傾きは生じやすく、ステムが傾いたまま着座した場合には、樹脂製弁体は傾きを修整してシール性を補う機能を全く有していないから、傾いたまま弁閉することにより、上記同文献１、２同様に、バルブの高シール性を維持することが困難な構造である。【００２０】
なお、同文献３においては、樹脂製弁体内部を挿通させる横ピンによる弁体固定の補強と共に、素材収縮率の差により、低温条件下においては樹脂製弁体がピンにタイトフィットする点が述べられているが、実際このように固着した場合は、上記のように樹脂製弁体は略固体塊となってステムに固着状態となるのであって、上記のようにステム軸心が傾いた状態の着座に全く対応できず、高シール性が維持できない。また、このような課題を開示又は示唆し、或は解決した先行技術は存在せず、この課題は極低温用グローブ弁に特有な喫緊の課題というほかない。【００２１】
そこで、本発明は上記問題点を解決するために開発されたものであり、その目的とするところは、簡易構造でありながら、極低温流体に対して、多くの開閉回数を経ても高いシール性と安全性が失われることがなく、しかもメンテナンスも容易な極低温用グローブ弁を提供することにある。
【課題を解決するための手段】
【００２２】
上記目的を達成するため、請求項１に係る発明は、ボデーにロングネック構造の軸筒部を延設した極低温用グローブ弁であって、長尺状のステムの下端部に、縮径テーパ状の円錐面を有する樹脂製弁体を、極低温条件下でもこの樹脂製弁体がステムに対して３次元的な動作が可能となるように取り付けた極低温用グローブ弁である。【００２３】
請求項２に係る発明は、ステムの下端部に設けた挿入部に樹脂製弁体の上部に設けた取付部を挿入し、この挿入部と取付部には、ステムの長さ方向と交叉する方向に貫通孔を形成し、この貫通孔に固定部材を挿通させて取付部とステムの下端部とを取り付け、固定部材と貫通孔との間に隙間を設け、樹脂製弁体が熱収縮した際に、隙間に対して樹脂製弁体が可動可能なクリアランスを維持させた極低温用グローブ弁である。【００２４】
請求項３に係る発明は、ステムの下端部に設けた取付部に樹脂製弁体の上部に設けた挿入部を挿入し、この取付部と挿入部には、ステムの長さ方向と交叉する方向に貫通孔を形成し、この貫通孔に固定部材を挿通させて挿入部とステムの下端部とを取り付け、固定部材と貫通孔との間に隙間を設け、樹脂製弁体が熱収縮した際に、隙間に対して樹脂製弁体が可動可能なクリアランスを維持させた極低温用グローブ弁である。【００２５】
請求項４に係る発明は、ステムの下端部に設けた取付溝に樹脂製弁体の上部に設けた係合部を係合させ、樹脂製弁体とステムの下端部とを所定の隙間を介して取り付け、樹脂製弁体が熱収縮した際に、隙間に対して樹脂製弁体が可動可能なクリアランスを維持させた極低温用グローブ弁である。【００２６】
請求項５に係る発明は、ボデーに設けた弁座シール面の角度よりも樹脂製弁体の弁体シール面の角度が小さくなるようにした極低温用グローブ弁である。【００２７】
請求項６に係る発明は、極低温条件下の貫通孔と固定部材との間のクリアランスの縦幅は、樹脂製弁体のシール径に対し、０．５％以上とした極低温用グローブ弁である。【００２８】
請求項７に係る発明は、軸筒部の上端にグランド部を設け、このグランド部側に液化水素である極低温流体が流入しないように軸筒部の上部をベローズ構造とすると共に、グランド部から大気圧を超える圧力の水素流体が漏れ出る程度のグランド封止構造とした極低温用グローブ弁である。
【発明の効果】
【００２９】
請求項１に記載の発明によると、ボデーにロングネック構造の軸筒部を延設した極低温用グローブ弁であって、長尺状のステムの下端部に、縮径テーパ状の円錐面を有する樹脂製弁体を、極低温条件下でもこの樹脂製弁体がステムに対して３次元的な動作が可能となるように取り付けたので、極低温条件下においても樹脂製弁体は完全にステムに固着状態とならずステムに対して微動作が可能となる。【００３０】
このため、ステム軸心や弁座軸心とのずれや、樹脂製弁体の変形硬化などにより、弁体軸心が弁座軸心に対して傾いて当接しても、この弁体をステムを介して弁座へ向けてさらに押し付けるだけで、テーパ面同士の樹脂製弁体と弁座が自然に調芯することにより、弁体シール面が弁座シール面に正しい姿勢で着座する調芯効果を得ることができる。よって、ステムの傾きや樹脂製弁体などの熱収縮に起因したシール面同士のズレを防ぐことができ、極低温条件下においても、バルブの高シール性を長期間良好に保つことができると共に、メンテナンスの手間を省くことも可能となる。さらに、調芯効果の発揮により、弁座シール面から受ける反力も偏ることなく分散されるから、硬化した樹脂製弁体に応力集中が生じ難く、よって、樹脂製弁体の損傷や割れなどによる劣化も起こり難い。【００３１】
請求項２又は３に記載の発明によると、ステム下端部と樹脂製弁体上部には、ステムの長さ方向と交叉する方向に貫通孔を形成し、この貫通孔に固定部材を挿通させてステムと樹脂製弁体とを固着しているから、樹脂製弁体をステム下端部に容易に取り付けることができると共に、固定部材が１次側流路に面する弁体表面側に露出することがなく、よって、弁閉時に裏漏れを生じ得る隙間が弁体表面側に形成されることが無い。【００３２】
請求項４に係る発明によると、例えばボルトなど、樹脂製弁体をステムに取り付けるための別部材が不要なので、部品点数が少なく極低温用弁の構成として好適であると共に、弁の耐久性やメンテナンス性にも好適である。【００３３】
請求項５に係る発明によると、弁体シール面と弁座シール面とのテーパ角度が異なっているから、異なるテーパ角度同士の着座により、シール面を線接触状に確保でき、よって、高いシール面圧を発揮させることができる。【００３４】
請求項６に記載の発明によると、極低温条件下の貫通孔と固定部材との間の隙間は、樹脂製弁体のシール径に対して０．５％以上としているから、弁体に調心効果が作用する際に必要となる３次元的な微動作のための自由度を適切に確保することができる。【００３５】
請求項７に記載の発明によると、軸筒部の上端にグランド部を設け、このグランド部側に液化水素が流入しないように軸筒部の上部をベローズ構造とすると共に、グランド部からは、大気圧を超える圧力の水素流体が漏れ出る程度のグランド封止構造としているから、ステムの昇降に追随するベローズ構造によって弁開閉を繰り返してもグランド部側への液化水素の流入が確実にシールされると共に、このベローズ構造のシール性能に問題が生じてグランド部側へ液化水素が流入してしまった場合には、グランド部から液化水素が適切に漏れ出ることにより、外部の検出装置などによって、この漏出を直ちに検出可能となる。このため、ベローズ構造の問題を直ちに認識可能となり、例えば、ベローズ構造を介した極低温流体のグランド部側への漏出・滞留が認識されないまま放置されてしまうことによるグランド部の破損などを事前に回避することができる。
【図面の簡単な説明】
【００３６】
【図１】本例の極低温用グローブ弁の弁閉状態を示した正面縦断面図である。
【図２】図１の側面図の一部を拡大し弁の開状態を示した一部拡大断面図である。
【図３】本例におけるステムと樹脂製弁体との取付構造を示しており、図１の樹脂製弁体部分（常温条件下）を拡大した一部拡大断面図である。
【図４】図３におけるＡ−Ａ線の部分断面図である。
【図５】図３に示した常温条件下の樹脂製弁体に対して、極低温条件下において熱収縮した状態の樹脂製弁体を示した断面図である。
【図６】図５において、ステム軸心が傾いて着座した状態を示した断面図である。
【図７】図６に示した状態に続いて、樹脂製弁体が弁座に対して調芯効果を発揮して正しい姿勢で着座した状態を示した断面図である。
【図８】（ａ）は、本発明におけるステムと樹脂製弁体との取付構造の他例構造の部分拡大断面図であり、（ｂ）は、取付構造のさらに他の別例構造の部分拡大断面図である。
【図９】図１の極低温用グローブ弁のステム昇降機構の他の構成例を説明する一部拡大図面である。
【発明を実施するための形態】
【００３７】
以下に、本発明の実施形態（本例）を図面を参照して詳細に説明する。図１は、本例の極低温用グローブ弁の縦断面図であり、図２は、図１におけるボデー１部分を、側面から見た断面図を拡大した部分拡大断面図である。なお、図１は弁閉状態を、図２は弁開状態を示している。
【００３８】
図１、２において、ボデー１は、略鉛直方向にボデー１側からハンドル１７側へ延設された軸筒部２と、その下部の流路が内部に形成されたボデー部３から成り、流路は、１次側流路４と、２次側流路５とが、傾斜して刻設されている。軸筒部２とボデー部３とは溶接部を介して接合されており、軸筒部２と、その上端のフランジ部６とも溶接部を介して接合されている。
【００３９】
本例では、極低温の液化水素を使用流体とするため、水素脆化などを防止するため、ボデー部３や軸筒部２など、流体と接し得る部材は、すべて削り出し製品が用いられている。なお、本願においては、極低温とは、少なくとも液化天然ガス（ＬＮＧ）の沸点−１６３℃以下を意味し、本例においては、液化水素（−２５３℃程度の極低温流体）の温度に適用される。
【００４０】
図１、２において、点線で示した真空ジャケット７は、ボデー１との間の空間を真空に保つことができるジャケットであり、この真空ジャケット７による真空絶縁によって流路内の流体の放熱を遮断し、流体の極低温を効果的に保つことができる。本例では、フランジ部６下端外周を閉塞して軸筒部２からボデー部３にかけてボデー１を包囲しており、図示していない横方向に接合される配管をさらに包囲している。真空ジャケット７の素材や形状などの具体的な構成は、実施に応じて任意に選択可能である。
【００４１】
図１、２において、ボンネット８は、上部にグランド部９を有し、下端にフランジ部１０を有しており、このフランジ部１０は、軸筒部２のフランジ部６とボルト、ナットを用いて固定され、ボデー１上部にフランジ部６、１０同士が重ねられた状態で固着される。また、グランド部９の内周面には、上下にそれぞれメネジ部１１、１２が設けられると共に、複数個（３個）の軸装シール用のグランドパッキン１３が、縦に積層されている。
【００４２】
なお、本例の極低温用グローブ弁は、軸筒部２の上下端部が溶接接合され、１次側流路４、２次側流路５に接合される図示していない横方向の配管も、それぞれボデー部３に溶接によって接合され、さらに、内部の極低温流体を外部と完全に遮断するため、基本的に全ての接合部が溶接接合されて構成されるので、ボデー１内部を外部へ開放するには、通常はこのボンネット８のフランジ部１０を取り外すことによってのみ可能となり、よって、弁内のメンテナンスも、このボンネット８の着脱によって行われる。
【００４３】
図１、２において、長尺状に形成されたステムの構造は、実施に応じて任意に選択可能であるが、本例のステムは、ハンドルステム１４と、上ステム１５と、下ステム１６と、から成る３本の分割構造となっている。ハンドルステム１４は、上端に手動用のハンドル１７がナット固定されており、下部にはオネジ部１８が設けられており、このオネジ部１８は、ボンネット８のメネジ部１２と螺合しており、後述のようにこの螺合の回転に伴って、ステムが昇降動可能となっている。なお、本例は手動弁の一例であるが、別途アクチュエータを備えてステムの昇降を自動制御可能に構成するなど、手動弁に限定されることなく、実施に応じて弁の駆動機構も任意に選択可能である。
【００４４】
図１において、パッキン押さえ１９は、外周のオネジ部をボンネット８のメネジ部１１にねじ込むことにより、パッキン押さえ１９の下端部で積層したグランドパッキン１３を締め付け固定し、この締付によって弁の軸封を行っている。よって、本例のステムは、この軸封構造と、オネジ部１８とメネジ部１２との螺着によって軸着している。
【００４５】
グランドパッキン１３としては、特に限定はない。ここで、後述のベローズ２０に関し、このベローズ２０のシール性能に何らかの問題が生じて水素ガスが流路側からグランド部９側へベローズ２０を介して漏出した場合（この場合、本例の構造ではベローズ２０の外周側から内周側への漏出となる）、水素ガスは、温度上昇に伴う気化によって体積が約６００倍にまで膨張する性質があるので、グランドパッキン１３が水素ガスを完全に密封してしまうと、ベローズ２０とグランド部９との間の領域に漏出して急膨張した水素ガスが密封されることになる。この場合、ベローズに生じた問題（水素ガスの漏出状態）を外部から即座に認識する手段が無いため、水素ガスが内部に密封された状態となり、場合によってはグランド部９から急激に水素ガスが噴出してしまう可能性がある。
【００４６】
そこで、本例では、グランド部９が、内部から大気圧を超える水素ガスの圧力が加わった場合に、水素ガスが漏れ出る構成が採られていることにより、グランド部９内への水素ガスの密封を防いで外部に漏出可能とし、この水素ガスの漏出があった場合は、グランド部９外側近傍に適宜設けられた図示していない水素検知装置によって即座に水素ガスを検知可能に構成しているので、少なくともベローズ２０の破損に関しては安全な対策が施されている。換言すると、本例の構造は、グランド部９から大気圧を超える極低温ガスが漏れ出る程度のグランド封止構造であり、また、外部からの固形の異物の侵入を防止できる程度の封止構造である。
【００４７】
このようなグランド部９は、例えば、グランドパッキン１３の種類や数、パッキン押さえ１９の締結力等を適宜調整することにより構成することができる。より具体的には例えば、大気圧を超える水素ガスが作用した場合、グランドパッキン１３とパッキン押さえ１９と間の隙間、或は、グランドパッキン１３の変形により生じる隙間を介して、水素ガスが漏れ出るようにすることができる。
【００４８】
図１において、上ステム１５は、上端の上鍔部１５ａが、ハンドルステム１４下端の係合部１４ａと、滑り嵌め状態で結合している。具体的には、中実円盤状の上鍔部１５ａが、中空円盤状の係合部１４ａ内に係合しており、この係合には、ガスケットなどの別部材を用いず、グリスなどの塗布により滑り性を確保している。例えば、係合部１４ａ（ハンドルステム１４）は銅製であり、上鍔部１５ａ（上ステム１５）はステンレス製である。この係合構造により、係合部１４ａが回転しても回転摩擦が上鍔部１５ａには伝わらないので、係合部１４ａの回転昇降に伴い、昇降動作のみが上鍔部１５ａに伝えられる。また、上ステム１５の下端にも、中実円盤状の下鍔部１５ｂが設けられており、下ステム１６上端の中空円盤状の係合部１６ｂと係合し、この係合構造によって、上ステム１５の昇降動が下ステム１６に伝えられる。
【００４９】
下ステム１６は、長尺略円柱形状に設けられており、その外径は、軸筒部２の内径より僅かに小さいが、下部に設けられている案内部２７によって、下ステム１６外周が軸筒部２内径に案内されながら円滑に昇降動可能に設けられている。また、下ステム１６の下端部には、後述するように、ステムと樹脂製弁体との間の所定の取付構造（挿入部１６ａと取付部２１ｃ）を介して樹脂製弁体２１が固着されている。
【００５０】
図１において、軸筒部２の上端に設けられたグランド部９側に極低温流体が流入しないように、軸筒部２の上部をベローズ構造としており、本例のベローズ２０は、上端取付部２０ａがボンネット８のフランジ部１０と軸筒部２のフランジ部６との間に挟み込まれて固定されるとともに、下端部２０ｂが上ステム１５下端部に溶接により固定されている。この構成により、ベローズ２０は、上端部２０ａが固定側、下端部２０ｂが可動側となって上ステム１５の昇降動に伴って同心状に伸縮可能となっている。
【００５１】
また、この構成により、ベローズ２０は、下端部２０ｂを区画の境界として、上ステム１５の下端以外の部位及びハンドルステム１４側と、上ステム１５下端及び下ステム１６側と、を区画するように、ステムを部分的に密封シールしている。この場合、ステム下部側は流体に接し得る領域であるが、ステム上部側はベローズ２０の密封区画により流体がシールされるので、流体が接することが無いと共に、軸筒部２内においてボデー１内外を密封区画する流体シール機能を有している。
【００５２】
常温下における、図１は樹脂製弁体２１が弁閉状態であり、図２は樹脂製弁体２１が弁開状態であり、本例の極低温用グローブ弁の開閉動作は、通常のグローブ弁の開閉動作と同様である。すなわち、図２の弁開状態において、ハンドル１７を回動させると、ボンネット８のメネジ部１２をハンドルステム１４のオネジ部１８が螺進降下していく。ハンドルステム１４下端の係合部１４ａは、回転力を伝えることなく下降力のみを上ステム１５上端の上鍔部１５ａへ伝え、上ステム１５下端の下鍔部１５ｂは、下ステム１６上端の係合部１６ｂへ、この下降力を伝えて、下ステム１６下端部に固着された樹脂製弁体２１を弁座シール面２２へ着座させることができる。樹脂製弁体２１を上昇させる場合は、この逆の動作（ハンドル１７の逆回転）となる。また、このようにステムが昇降動する間、ステムは、案内部２７など、適宜の案内構造を介して調芯案内される。
【００５３】
以下に示すように、本発明では、ボデー１にロングネック構造の軸筒部２を延設し、長尺状のステムの下端部に、縮径テーパ状の円錐面を有する樹脂製弁体２１を、極低温条件下でも、この樹脂製弁体２１がステムに対して３次元的な動作が可能となるように取り付けている。具体的には、樹脂製弁体２１とステム下端部とは、所定の取付構造を介して取付けられており、図３は、本例の取付構造を示し、図８（ａ）は、他例構造の取付構造を示し、図８（ｂ）は、別例構造の取付構造を示している。
【００５４】
図３、４は、常温下における、本例の樹脂製弁体２１の取付構造を示している。樹脂製弁体２１は、本例では、ＰＥＥＫ材（ポリエーテルエーテルケトン）により全体が一体的に形成されており、優れた機械的強度と化学的安定性、さらに耐極低温性も発揮できる。また、樹脂製弁体２１の熱収縮率は、固定側部材となるステムより大きく設けられていると共に、着座する弁座シール面２２の硬度より小さい硬度に設けられている。なお、ＰＥＥＫ材以外から成る樹脂製弁体も、実施に応じて適宜に選択可能である。
【００５５】
ここで、熱収縮率とは、温度低下に伴う部材の尺（長さや体積）の減少率を意味しており、熱収縮率が大きいとは、少なくとも使用流体の温度における線膨張係数（Ｋ−１）が大きいことを意味する。概ね、線膨張係数は、樹脂材料（プラスチック）が金属に対して１ケタ程度大きく、セラミックスに比べると２ケタ程度大きい。本例では、樹脂製弁体２１をＰＥＥＫ材で形成している一方で、その固定側部材となるステムとしてステンレスの削り出し製品を用いているから、本例においては、樹脂製弁体２１の熱収縮率は、ステムの材質（固定側部材）に対して十分に大きく確保されている。
【００５６】
また、樹脂製弁体２１の硬度は、着座する弁座シール面２２の材質硬度より小さく設けられている。ここで、硬度とは、主に金属素材と樹脂素材とを共通して比較計測することに適した例えばビッカース硬度やロックウェル硬度を意味する。後述のように、弁座シール面２２の構成は、任意に選択可能であるが、少なくとも樹脂製弁体２１の弁体シール面２１ａの硬度を、これが着座する弁座シール面２２の硬度より小さくすることにより、例えば長期間多数回のバルブ開閉を経た後であっても、着座の衝突による劣化や損傷を、ほぼ樹脂製弁体２１側に生じするようにすることができ、特に着座に異物噛み込みがあった場合、メンテナンスコストの大きい弁座シール面２２の損傷を回避することが可能となる。
【００５７】
本例の極低温用グローブ弁は、上記のように、流路内はほぼ完全に溶接接合されることで密封され、特に弁口部分に対しては、通常はボンネット８の着脱によってのみアプローチできるが、ボンネット８を外しても長尺小径の軸筒部２を経なければならないから、直接的なメンテナンスが難しい構造となっており、特に硬度が略等しいメタルタッチとした場合は弁座側が損傷し易くなるので、弁座シール面２２の損傷をなるべく回避することが好ましく、上記のように硬度に有意な差を設けて弁座シール面２２に損傷が生じ難く構成することにより、直接的なコンタクトが困難な弁口部位のメンテナンスの頻度を低減している。樹脂製弁体２１に損傷があった場合のメンテナンス作業は、通常は単にステムを引き抜いて新たな樹脂製弁体２１に交換するなどした後、ステムを戻して再び固定すれば済むので、メンテナンス作業が容易となる。
【００５８】
図３、４において、本例の樹脂製弁体２１は、全体が一体的に形成されており、特に、少なくとも下端面側の全面である弁体表面部２１Ａには別部材同士の間に生じる隙間を有しておらず、面一状に設けられている。この弁体表面部２１Ａは、後述の樹脂製弁体２１の調芯効果を適切に得るために、樹脂製弁体２１をステム下端部に取り付けた場合に、少なくともステム軸心と同軸状に軸対称な形状となることが必要である。また、円錐面（弁体シール面）２１ａの一部には、同心状に環状の弁体シール面２１ａが形成され、この弁体シール面２１ａは、弁の開閉動作に伴い、弁座シール面２２と当接して密着・離間する。
【００５９】
本例の樹脂製弁体２１は、略ディスク状の鍔部２１ｂと、この鍔部２１ｂの上部に略円柱状の取付部２１ｃと、を有しており、鍔部２１ｂは、外周面に縮径テーパ状の円錐面２１ａを有し、フラットでないテーパ又はコニカルディスクであり、この円錐面（弁体シール面）２１ａの一部に環状の弁体シール面２１ａが同心状に形成される。取付部２１ｃの外径は、鍔部２１ｂの外径より小さく、ステム下端部に設けられている挿入部１６ａの内径と略同径であり、この挿入部１６ａと取付部２１ｃとは、少なくとも互いに適合した形状として設けられ、常温下においては、互いに適切に嵌め合せることができる。なお、円錐面２１ａは、完全なコーン形状としての円錐面に限らず、例えば僅かに内方又は外方に湾曲させた曲面として形成してもよい。
【００６０】
図３、４において、本例の弁座シール面２２は、ボデー部３の１次側流路４の開口部に一体的に設けられており、拡径テーパ状の弁座シール面２２となっている。弁座シール面２２は、この例の他にも、図示していないが例えば、テーパ状でなく断面直角状の角部、或は、本例のようにボデー部３に一体的に設けるほか、別部材であるシートリングを環状の装着溝に固着させるなど、実施に応じてその構成は任意に選択可能である。
【００６１】
図４において、本例の弁体シール面２１ａのテーパ角度αを、弁座シール面２２のテーパ角度βよりも小さい鋭角として設定しており、具体的には、角度αとβとの差θを約１度に設定している。このように角度差を設定することにより、弁体シール面２１ａと弁座シール面２２とはほぼ線接触状となり、特に極低温下では樹脂製弁体２１が硬化して可撓性がほぼないため、高いシール面圧を確保できる。このように円錐面２１ａの一部に形成される線接触状の弁体シール面２１ａ（シール部）の位置は、多数回の弁の開閉を経ても、後述の本発明の調芯効果により、大きな位置ずれを生じることなく、ほぼ同じ位置に維持することが可能となる。
【００６２】
図３、４において、取付部２１ｃには、本例における固定部材である１本のボルト２４を挿通できる中空状の貫通孔２３が設けられ、この貫通孔２３内の一部には、後述する樹脂製弁体２１が極低温条件下で熱収縮した状態であっても、適切な容積のクリアランス２６（図５〜７）を残存させることができる程度の容積・形状を備えた隙間２５が確保されている。なお、固定部材としては、本例におけるボルト以外にも、例えばピン構造など、実施に応じて適宜選択可能である。
【００６３】
本例においては、ボルト２４のヘッドが、ステム１６の下端部に形成された貫通孔の拡径部１６ｄにちょうど収まる形で支持され、かつ雄ネジ部２４ａが雌ネジ部１６ｃに螺着されているので、ステムに対してぐらつき等を生じることがなく樹脂製弁体２１を確実に取り付けることができると共に、例えば後述のようにステムの傾きが生じた場合等においても、極低温条件下でクリアランス２６を確保することができるので、本発明の調芯効果も確実に発揮することができる。
【００６４】
同図において、ステム下端部の挿入部１６ａには、貫通孔１６ｃ、１６ｄが同図横方向へ一直線状に開けられており、この貫通孔１６ｃ、１６ｄの位置・形状は、樹脂製弁体２１の取付部２１ｃを挿入部１６ａへ嵌合させた状態で、ボルト２４を貫通孔２３と共通に挿通できる位置・形状となっている。一方側の貫通孔１６ｄにはボルト２４のヘッド（六角穴付き）が収まり、他方側にはボルト２４の雄ネジ部２４ａと螺着する雌ネジ部１６ｃが形成されており、ボルト２４の固着の際にはヘッドの六角穴に六角レンチをネジ込んで固着させることができる。
【００６５】
この雄ネジ部２４ａの長さは、特に制限されない。例えば、樹脂製弁体２１を固着するために必要最小限に設定し、具体的には雌ネジ部１６ｃの長さと略等しく設定して、樹脂製弁体２１の固着状態において少なくとも雄ネジ部２４ａ外周面が貫通孔２３内周面に面することがないようにすれば、後述する本願の調芯効果が発揮された際に、微動作する樹脂製弁体２１（貫通孔２３内周面）が雄ネジ部２４ａのねじ山に当たること、が避けられる。ただし、樹脂製弁体２１が雄ネジ部２４ａのねじ山に当たっても問題が無ければ、雄ネジ部２４ａの外周面が貫通孔２３内周面に面するようにしても良い。この雄ネジ部２４ａが貫通孔２３内に露出しないように構成するのと同様に、本願発明では、固定部材と貫通孔との間には、微動作する樹脂製弁体（貫通孔）が当たっても損傷し難いように構成されていれば好適である。
【００６６】
本例の貫通孔２３の容積は、ボルト２４が占有する略円柱状のスペースと、隙間２５が占有するスペースを合わせた容積となっており、具体的には、図４に示すように、貫通孔２３全体としての断面形状は、略大円形状乃至楕円状となっている。図４において、隙間２５は、このような断面形状の貫通孔２３の容積から、断面小円状のボルト２４の容積を差し引いたスペースであり、ボルト２４の上部側が貫通孔２３に当接しており、ボルト２４の下部側が隙間２５に面している。図３において、この隙間２５の縦幅Ｃ＝約０．２ｍｍ程度であり、この縦幅Ｃの大きさはより一般的には、樹脂製弁体２１のシール径（弁体シール面２１ａの径）に対して、少なくとも０．５％以上に確保すると、後述の樹脂製弁体２１の調芯効果を十分に発揮できるので好適である。なお、同図に示したボルト２４の径Ｒは約３ｍｍとなっている。
【００６７】
隙間２５の縦幅Ｃは、弁のシール径を基準として設定することが好ましい。後述の本発明の調芯効果は、樹脂製弁体２１がどの程度可動できるかどうかにより変化する。隙間２５の縦幅Ｃが小さいと、その分樹脂製弁体２１が動くことができる範囲も小さくなるので、この縦幅Ｃをシール径に対して十分に確保することにより、調芯効果を最大限発揮させることが可能となる。縦幅Ｃの範囲は、より好ましくはシール径に対して５〜１５％の範囲であり、さらに好ましくは５〜１０％の範囲である。縦幅Ｃが大きすぎると、樹脂製弁体２１の可動範囲が大きくなり過ぎ、弁座シール面２２への着座位置にズレが生じるおそれがある。また、シール径は、グローブ弁の呼び径にほぼ一致する。隙間２５の縦幅Ｃの範囲を、前記のように設定した場合において、優れた調芯効果が得られる弁の呼び径の範囲は、１／２〜３インチの範囲であり、より好ましくは、１／２〜２インチの範囲の範囲である。
【００６８】
本例の貫通孔２３とその内部の隙間２５は、上記の位置・形状として確保されているが、これらは、実施に応じて任意に選択可能である。例えば、樹脂製弁体２１の材質・形状やステムとの固着構造などの各特性に応じて、常温条件化における隙間として別の中空形状・位置に確保することもできるし、或は、クリアランスの位置を固定部材との間でなく、樹脂製弁体内部に中空部を適宜の位置・形状に設けるようにしてもよい。何れにせよ、後述する極低温条件下における樹脂製弁体２１の調芯効果に必要となる微動作を許容するためのクリアランス２６を、適切に樹脂製弁体内部又は外周側に確保できるように設けられる。
【００６９】
続いて、図５〜７にかけて、極低温条件下の樹脂製弁体２１が弁座シール面２２に着座する際の弁閉作用を説明する。図５は、図３、４に示した常温条件下の樹脂製弁体２１の形態から極低温条件下で熱収縮した状態の樹脂製弁体２１を、模式的に示したものである。同図の一点鎖線は、図３、４のように常温条件下で熱収縮する前の樹脂製弁体２１の形状を模式的に示している。図６は、図５に示した極低温下において、ステムの軸心が、弁座シール面２２の軸心に対して僅かに傾斜した状態となった場合を模式的に示している。図７は、本発明において樹脂製弁体にもたらされる調芯効果の一例を模式的に示したものである。
【００７０】
図５において、本例の樹脂製弁体２１に生じる、樹脂部材としての熱収縮は、樹脂製弁体２１が概ね単一素材で一体形成された塊状を呈しており、低温化は液化水素により極低温まで急冷される状況を考慮すれば、収縮のばらつきに起因した反りや変形などは生じず、概ね、均一で等方的な収縮が生じるものと考えられる。この場合は、樹脂製弁体２１は、同図に示したように、概ね、所定の収縮率にて相似的に収縮することになる。よって、極低温条件下においては、樹脂製弁体２１の外形は同図に実線で示したような形状として、本例ではぼほ可撓性を喪失した状態で硬化し、液化水素に曝される使用中は、ほぼ変形することなく、この形状のままステム下端部に取り付けられた状態として維持される。
【００７１】
図５において、図３、４に示した隙間２５を、上記のように設定しているから、この隙間２５が熱収縮した後も、固定部材であるボルト２４と貫通孔２３との間には、クリアランス２６が残存することになる。このクリアランス２６の縦幅Ｃ’は、約０．１ｍｍであり、隙間２５の縦幅は約５０％収縮したことになる。
【００７２】
ここで、樹脂製弁体２１が熱収縮する際には、樹脂製弁体２１の内部に向けて樹脂製弁体２１の各部分が略一定の収縮率で略等方的に収縮するから、図３、４に示した隙間２５を充填するように容積が収縮すると共に、隙間２５の容積が存在する分だけ、このような中空部分（貫通孔２３）を有さず収縮する余裕が無い完全な中実体の場合に比較して、樹脂製弁体２１の収縮容積をより大きくすることができる。
【００７３】
特に、樹脂製弁体２１外周面側の収縮代を大きく確保することができるから、図５に示すように、以下に述べるクリアランス２６のほかにも、取付部２１ｃ外周と挿入部１６ａ内周との間のクリアランス２６ａや、鍔部２１ｂの裏面とステムの下端面との間のクリアランス２６ｂ、或は、円形状の取付部２１ｃ端面と挿入部１６ａ底面との間のクリアランス２６ｃも確保することができる。
【００７４】
そして、このクリアランス２６や、クリアランス２６ａ〜クリアランス２６ｃが確保されることにより、極低温条件下において、樹脂製弁体２１はボルト２４で確実にステム下端部に対して固定された状態でありながら、樹脂製弁体２１の外周近傍には、樹脂製弁体２１軸心がステム軸心に対して微傾斜したり、樹脂製弁体２１がステムに対して軸心方向に微動作したり、樹脂製弁体２１がステムに対して微回転（捩れ）する、などの３次元的な動作が可能となる僅かなスペースが確保されることになる。
【００７５】
逆に言えば、先述のように、従来技術においては、樹脂製弁体とその固定側部材との間に熱収縮の結果として生じるギャップに関しては知られているものの、このギャップは、何らかの手段を介して埋めるように補おうとする技術思想しか存在せず、況してや、極低温下において生じるギャップを利用しようとする技術思想は皆無である。このため、極低温条件下において、上記のようなクリアランス２６、或は、クリアランス２６ａ〜クリアランス２６ｃを確保することはできず、よって、以下に述べる本発明における樹脂製弁体の調芯効果を発揮することは極めて困難又は不可能である。
【００７６】
一方、図６は、樹脂製弁体２１軸心Ｙが、弁座シール面２２軸心Ｘに対して角度φだけ傾斜した状態を模式的に示しており、同図の場合は、軸心Ｙはステム軸心と一致しているので、ステム軸心が傾いた状態を示している。このようなステム軸心の傾斜は、特にロングネック構造のグローブ弁では、生じやすいと言える。
【００７７】
具体的には、このような傾斜の原因として、先ず、ステムにおける芯ズレが挙げられる。ステムはロングネック構造により径に対してかなり長尺に設けられるから、例えば製品個体において正確に芯出しができていない製品が生じ得る。また、本例のように、複数製品を連結させた多物品で構成される場合は、連結部分で部品同士の芯ズレも生じやすい。また、常温と極低温の間で、極端な温度差のサイクルに曝されると共に、弁の使用時においてもステムの上下で極端な温度差の状況下に設けられるから、この極端な温度差によって部分的な素材変性の偏りから何らかの変形も生じ得る。
【００７８】
さらに、図１に示すように、ステムはハンドルステム１４のオネジ部１８とボンネット８のメネジ部１２との螺合によって昇降するから、このネジ結合の調心が十分でない場合にも、軸心Ｘ、Ｙ同士のズレが生じ得る。しかも、本例の極低温用グローブ弁の場合は、例えば年間の開閉回数として２０００〜２５００回程度が想定され、数年以上の長期使用も想定されているので、このような多数回、長期間の使用の場合、図６に示すような軸心Ｘ、Ｙの傾斜は、ステム（特に係合部１４ａ、１６ｂ）と樹脂製弁体２１（特に貫通孔２３）や、弁座シール面２２、或は、ネジ結合（オネジ部１８、メネジ部１２）や案内部２７など、ステムの軸心を同軸上に保つために関連する各部位の劣化（機械的損傷や温度差による変性）と相俟って、さらに生じやすいと言える。
【００７９】
また、樹脂製弁体２１軸心Ｙの弁座シール面２２軸心Ｘに対する傾斜状態は、上記のようなステム軸心の傾斜以外によっても生じ得る。例えば、樹脂製弁体２１の熱収縮に偏りが生じる事により樹脂製弁体２１が偏った形状として収縮硬化し、常温条件下で有していた形状の対称性が失われることも考えられる。これに伴って、弁体シール面２１ａの形状対称性も喪失し得るので、この場合は、弁座シール面２２との適合性も失われてしまう。さらに、図示していないが、弁座シール面として別部材のシールリングを用いている場合、このシールリングが変形すれば、やはり弁のシール性が損なわれる。
【００８０】
何れにせよ、少なくとも弁体表面部２１Ａが軸対称形状である樹脂製弁体２１軸心Ｙと、軸対称な環状の弁座シール面２２軸心Ｘとが傾斜したまま着座すれば、シール面の適合性が損なわれるので、弁のシール性を保つことができなくなる。
【００８１】
これに対し、図７は、本発明における樹脂製弁体２１の調芯効果を模式的に示している。なお、図７の軸心Ｚは下ステム１６の軸心を示しており、図６においては軸心Ｙと軸心Ｚとが一致し、図７においては軸心Ｘと軸心Ｙとが一致しており、それぞれ一方の軸心のみを図示している。
【００８２】
上記の調芯効果は、通常、次のように作用する。先ず、図６のように、弁座シール面２２軸心Ｘに対して樹脂製弁体２１軸心Ｙ（下ステム１６軸心Ｚ）が傾斜状態のまま、弁体シール面２１ａが弁座シール面２２に向けて接近して当接する。このため、同図のように樹脂製弁体２１は傾いて着座している。次いで、ステムがさらに下降することにより、この傾いた樹脂製弁体２１がさらに上からステムによって押し下げられることで、弁体表面部２１Ａが弁座シール面２２に向けて押し込まれることになる。
【００８３】
このように押し込まれる際に、樹脂製弁体２１には、上記したように、クリアランス２６、クリアランス２６ａ〜クリアランス２６ｃを利用した３次元的な微動作が可能となっている。このため、樹脂製弁体２１には、自然に以下のような調芯効果が作用することになる。
【００８４】
図６に示した樹脂製弁体２１の円錐部の外周面は、弁座シール面２２とずれて着座しているので、これらが当接している領域は、部分的（環状領域の一部）に偏った位置で当接している。このため、同図の樹脂製弁体２１は不安定な状態であって、その軸心Ｙには未だ回転自由度が残存している。この状態で、ステム下端部の下降によって、樹脂製弁体２１は、上から下へ向けて押し下げられることになる。この押し下げ方向は、傾き角度φは、生じるとしても僅かな角度なので、概ね軸心Ｘ方向に沿って押し下げられる。
【００８５】
これに対し、樹脂製弁体２１が最も安定した状態は、弁体シール面２１ａと弁座シール面２２とが全周的かつ均一的に当接することによって、樹脂製弁体２１が弁座シール面２２から受ける反力の合力が軸心Ｘ方向に略一致している状態であり、この最も安定した状態は通常、テーパ面同士が適合することによって、本来の正しい着座姿勢で着座した状態に一致すると共に、軸心Ｙにはもはや回転自由度が残っていない。
【００８６】
図６において、このような不安定な姿勢の樹脂製弁体２１に対し、概ね軸心Ｙ方向の外力が作用した場合、原理的には、樹脂製弁体２１は、自ら不安定さを埋めるように微動作しつつ、最も安定した状態を目指して動作することになるが、この最も安定した状態に向かうための動作に必要となる自由度は、上記のように、クリアランス２６ａ〜クリアランス２６ｃが維持されることによって、確保されている。
【００８７】
したがって、図７に示すように、ステム下端部の押し下げによって樹脂製弁体２１は、これらのクリアランス２６ａ〜クリアランス２６ｃを利用した３次元的な微動作を経て、軸心Ｙを軸心Ｘに一致させるように、自ら着座姿勢を正すことが可能となる。本発明においては、上述した実施形態の他、多くの実施形態において、このような調芯効果を得ることができる。例えば樹脂製弁体２１や弁座シール面２２の具体的な形状や、隙間の容積、樹脂製弁体２１とステムとの間の摩擦力、或は弁座シール面２２と弁体シール面２１ａとの間の摩擦力、ステムによる押圧力、軸心Ｘ、Ｙの傾きφの大きさなど、様々な条件を考慮し、好適な調芯効果が得られるように調整することが可能である。
【００８８】
図８（ａ）は、上述の本例の取付構造において樹脂製弁体２１とステム下端部との間の凹凸係合を逆にした構造である。すなわち、ステム３１の下端部に設けた取付部３１ａに樹脂製弁体３０の上部に設けた挿入部３０ａを挿入し、この取付部３１ａと挿入部３０ａには、ステム３１の長さ方向と交叉する方向に貫通孔３４を形成し、この貫通孔３４に固定部材（ボルト３２）を挿通させて挿入部３０ａとステム３１の下端部とを取り付け、固定部材（ボルト３２）と貫通孔３４との間に隙間３３を設け、樹脂製弁体３０が熱収縮した際に、隙間３３に対して樹脂製弁体が可動可能なクリアランスを維持させている。
【００８９】
具体的には、図８（ａ）において、ステム３１の下端部には、略円柱状の取付部３１ａが同心状に突設されており、この取付部３１ａは、常温条件化において、樹脂製弁体３０の中央に形成された挿入部３０ａと形状が適合している。また、取付部３１ａには、貫通孔３４が設けられており、この貫通孔３４に挿通するボルト３２の外径に対し、貫通孔３４の内径は大きく形成されており、貫通孔３４にボルト３２を挿通させた状態で、所定代の隙間３３が確保可能となっている。また、取付部３１ａに挿入部３０ａを嵌合させた状態で、樹脂製弁体３０（挿入部３０ａの外径肉厚）内には、貫通孔３４に挿通させた状態のボルト３２のヘッドを固定できる貫通孔３０ｂと、ボルト３２の雄ネジ部３２ａと螺合する雌ネジ部３０ｃが設けられている。
【００９０】
図８（ａ）は、樹脂製弁体３０が極低温条件下において熱収縮した状態を示しており、この状態においては、上述した本例の図５と同様に、ステム３１と樹脂製弁体３０との間にクリアランスが形成されている。具体的には、図８（ａ）において、樹脂製弁体３０の同図上端面とステム３１の取付部３１ａ外周側の端面との間のクリアランス３５ａや、挿入部３０ａ底面と取付部３１ａ下端面との間のクリアランス３５ｂ、さらに挿入部３０ａ内周面と取付部３１ａ外周面との間のクリアランス３５ｃが形成されている。
【００９１】
このように樹脂製弁体３０の周囲にクリアランス３５ａ〜３５ｃが確保されており、ボルト３２と貫通孔３４との間にも隙間３３が確保されているから、樹脂製弁体３０はステム３１に対して完全に固着状態となっておらず、上述の本例のように、３次元的な微動作が可能となっている。この微動作可能にステム３１に取り付けられた状態であれば、上述した本発明の調芯効果を発揮することができる。
【００９２】
図８（ｂ）は、本発明の樹脂製弁体とステムとの間の取付構造において、さらに他の別例構造を示したものである。すなわち、ステム４１の下端部に設けた取付溝４１ａに樹脂製弁体４０の上部に設けた係合部４０ａを係合させ、樹脂製弁体４０とステム４１の下端部とを所定の隙間を介して取り付け、樹脂製弁体４１が熱収縮した際に、この隙間に対して樹脂製弁体４１が可動可能なクリアランスを維持させている。
【００９３】
具体的には、図８（ｂ）において、樹脂製弁体４０の上部には、断面略Ｔ字状の係合部４０ａが形成されており、この係合部４０ａは、幅広の係合部４０ａより狭い幅狭部４０ｂを介して弁体表面側となる鍔部４０ｃと一体形成されている。係合部４０ａは、常温条件化で、ステム４１下端部に設けられ係合部４０ａ及び幅狭部４０ｂの形状と適合した取付溝４１ａと、係合可能となっている。
【００９４】
図８（ｂ）も、樹脂製弁体４０が極低温条件下において熱収縮した状態を示している。この別例構造においては、幅の大きい係合部４０ａが幅の狭い幅狭部４０ｂでステム４１の取付溝４１ａに対して確実に取り付けられている一方で、樹脂製弁体４０の熱収縮代は、僅かな幅の縮小しか生じないので、樹脂製弁体４０は極低温条件下において熱収縮してもステム４１から外れることなく確実に取付状態が維持される。
【００９５】
この状態で、樹脂製弁体４０とステム４１との間には、クリアランスが確保される。具体的には、図８（ｂ）において、鍔部４０ｃの裏面とステム４１の下端面との間のクリアランス４２ａや、幅狭部４０ｂ外周面と取付溝４１ａとの間のクリアランス４２ｂ、さらに係合部４０ａの上面と取付溝４１ａの底面との間のクリアランス４２ｃが確保されている。
【００９６】
このように樹脂製弁体４０の周囲にクリアランス４２ａ〜４２ｃが確保されているから、樹脂製弁体４０はステム４１に対して完全に固着状態となっておらず、上述の本例のように、３次元的な微動作が可能となっている。この微動作可能にステム４１に取り付けられた状態であれば、上述した本発明の調芯効果を発揮することができる。
【００９７】
上述した実施形態の構造を有する極低温用グローブ弁について、ヘリウムガスを用いた漏れ試験を行った。試験用の極低温グローブ弁として、クラス１５０、呼び径１インチのステンレス製グローブ弁を用いた。漏れ試験として、極低温用グローブ弁に−２５３℃の液化水素を封入して冷却し、その状態で所定回数の開閉動作を行い、冷却された極低温用グローブ弁から液化水素を抜いた後、全閉状態とした極低温用グローブ弁の一次側に速やかにヘリウムガスを供給し、二次側からのヘリウムガスの漏れを水上置換法で確認する試験を行った。この際、ヘリウムガスの圧力は、日本のＴＴＯ指針に基づき、２．１MPaとした。
【００９８】
この漏れ試験は、一日目にバルブ開閉０回時、１０００回時及び２０００回時までの試験を、二日目にバルブ開閉３０００回時及び４０００回時までの試験を、3日目にバルブ開閉５０００回時までの試験を行った。また、各日の試験開始時には、液化水素にて冷却する前の状態で漏れ試験を行った。また、一日目と二日目の全試験の終了時には、試験用の極低温用グローブ弁に常温の水素ガスを供給することで極低温から常温に昇温した後にも、漏れ試験を行った。
【００９９】
いずれの漏れ試験においても、弁座からのヘリウムガスの漏れは確認されず、本発明に係る極低温用グローブ弁は、液化水素のような極低温流体を扱う条件でも高いシール性を発揮できることが確認された。しかも、常温−極低温−常温といった温度サイクルにさらされても、高いシール性を維持できることも確認された。なお、最終的な開閉動作５０００回というのは、試験用の極低温ベローズ弁に用いたベローズ（上記実施形態のベローズ２０に該当）の耐久回数５０００回に相当する。このことから、本実施形態の極低温用グローブ弁の弁座のシール性は、ベローズ部分での封止性と同等レベルの耐久性を発揮し得ることも判明した。
【０１００】
次に、ハンドルを回動によりステムを昇降させる機構の他の構成例を図面により説明する。図９は、図１の極低温用グローブ弁のステムを昇降させる機構の他の構成例を示した一部拡大図面である。なお、図９の極低温用グローブ弁で図１の極低温用グローブ弁と共通する部分については同一の符号を使用し、説明を省略する。
【０１０１】
図１の極低温用グローブ弁では、ハンドルステム１４の下部に設けた台形ネジのオネジ部１８とボンネット８の内周面に形成した台形ネジのメネジ部１２を螺合させ、ハンドルステム１４の上部に取付けたハンドル１７を回動させることによりステムの昇降が可能となるように構成されている。このようにボンネット８の内周面に台形ネジのメネジ部１２を形成する場合、図１からも解るように段差があるため、メネジ部１２の形成はいわゆるドン突き加工となって刃物による切削加工が行いにくい。
【０１０２】
図９に示す他の構成例では、メネジ部１２の加工を容易にするため、ボンネット８とハンドルステム１４との間に銅製のスリーブ４５を介在させている。スリーブ４５の外周には、ボンネット８の内周面に形成した三角ネジのメネジ部４６と螺合する三角ネジのオネジ部４７を形成し、内周面にはハンドルステム１４の台形ネジのオネジ部４８と螺合する台形ネジのメネジ部４９を形成している。
【０１０３】
スリーブ４５のオネジ部４７をボンネット８の内周面のメネジ部４６に螺着、締付けることによりスリーブ４５をボンネット８に固定することができ、この状態でスリーブ４５のメネジ部４９とハンドルステム１４のオネジ部４８と螺合させることにより、ハンドルステム１４の上部に取付けたハンドル１７の回動によりステムの昇降が可能となる。
【０１０４】
上述した様に、スリーブ４５は銅製でステンレス鋼よりも柔らかいため、スリーブ４５の内周面に台形のメネジ部を形成する方がステンレス鋼製のボンネット８の内周面に形成するよりも簡単であり、また、メネジ部４９の形成時に刃物を突き抜けられるので、刃物による切削加工が容易である。
【０１０５】
以上、本発明の実施の形態について詳述したが、本発明は、前記実施の形態記載に限定されるものではなく、本発明の特許請求の範囲に記載されている発明の要旨を逸脱しない範囲で、種々の変更ができるものである。
【符号の説明】
【０１０６】
１  ボデー
２  軸筒部（ボデー）
３  ボデー部（ボデー）
９  グランド部
１３  グランドパッキン（グランド封止構造）
１４  ハンドルステム（ステム）
１５  上ステム（ステム）
１６  下ステム（ステム）
１６ａ  挿入部
１６ｃ  １６ｄ  貫通孔
２０  ベローズ（ベローズ構造）
２０ａ  上端部
２０ｂ  下端部
２１  ３０  ４０  樹脂製弁体
２１ａ  円錐面（弁体シール面）
２１ｂ  鍔部（樹脂製弁体）
２１ｃ  取付部（樹脂製弁体）
２２  弁座シール面
２３  貫通孔
２４  ボルト（固定部材）
２５  隙間
２６  クリアランス
２６ａ  ２６ｂ  ２６ｃ  クリアランス
３１  ４１  ステム
３０ａ  挿入部
３１ａ  取付部
３３  隙間
３４  貫通孔
３５ａ  ３５ｂ  ３５ｃ  クリアランス
４０ａ  係合部
４１ａ  取付溝
４２ａ  ４２ｂ  ４２ｃ  クリアランス
４５  スリーブ
【図１】
2020091037.tif 000003
【図２】
2020091037.tif 000004
【図３】
2020091037.tif 000005
【図４】
2020091037.tif 000006
【図５】
2020091037.tif 000007
【図６】
2020091037.tif 000008
【図７】
2020091037.tif 000009
【図８】
2020091037.tif 000010
【図９】
2020091037.tif 000011
【国際調査報告】
2020091037.tif 000012
2020091037.tif 000013
2020091037.tif 000014
2020091037.tif 000015